(57)【要約】【課題】不正を防止し、ラリーの円滑な運営を可能とする電子スタンプラリーシステムを提供する。【解決手段】電子スタンプラリーシステム１０は、指定場所に設置され、ＩＤ番号と認証信号を読み取り送信する複数のＩＣカード読取端末装置２０と、景品交換の情報を送信する景品交換端末装置３０と、ＩＣカード読取端末装置と景品交換端末装置とインターネット５０で接続され、ＩＤ番号と認証信号の同一性とラリー巡回経路の適否をチェックし、ラリーポイントを記憶し、景品交換端末装置から景品交換情報が送信された場合にラリーポイントを景品のポイントに変換するスタンプラリー情報管理装置６０を備える。スタンプラリー参加者が、ＩＤ番号を記憶するＩＣカードを所持して、ラリーゲームの複数の指定場所でＩＣカード読取端末装置と交信することによりラリーポイントがスタンプラリー参加者に付与され、ラリーポイントが景品に交換される。【選択図】図１
2011107932.tif 000002
【特許請求の範囲】
【請求項１】
スタンプラリー参加者が、ＩＤ番号を記憶する非接触ＩＣカードを所持してスタンプラリーゲームで設定された複数の指定場所を巡回することで、当該指定場所で前記非接触ＩＣカードと交信することにより当該指定場所の巡回ラリーポイントが前記スタンプラリー参加者に付与される電子スタンプラリーシステムであって、
前記複数の指定場所の各々に設置され、前記非接触ＩＣカードと交信し、前記ＩＤ番号と前記スタンプラリー参加者の認証信号を読み取り、前記ＩＤ番号と前記認証信号を送信する複数台のＩＣカード読取端末装置と、
前記非接触ＩＣカードと交信し、前記ＩＤ番号と前記認証信号を読み取り、前記ＩＤ番号と前記認証信号を送信し、景品交換が必要な場合に前記スタンプラリー参加者の意図する景品交換の情報を送信する少なくとも１台の景品交換端末装置と、
前記ＩＣカード読取端末装置と前記景品交換端末装置とインターネットで接続され、前記ＩＣカード読取端末装置から送信される前記ＩＤ番号と前記認証信号の同一性とラリー巡回経路の適否を判断し、ラリーポイントを記憶し、前記景品交換端末装置から参加者の意図する景品交換の情報が送信された場合に前記ラリーポイントを景品のポイントに変換するスタンプラリー情報管理装置と、を備え、
前記非接触ＩＣカードは、スタンプラリーゲーム以外の他の用途で前記スタンプラリー参加者が予め所持することを特徴とする電子スタンプラリーシステム。
【請求項２】
前記スタンプラリー情報管理装置が、前記ラリーポイントを前記景品交換装置に送信し、
前記景品交換装置は、前記ラリーポイントに対応する景品を前記スタンプラリー参加者に提供することを特徴とする請求項１記載の電子スタンプラリーシステム。
【請求項３】
前記非接触ＩＣカードがチャージポイントを記憶可能であり、
前記スタンプラリー情報管理装置が、前記ラリーポイントをチャージポイントに変換することで、変換されたチャージポイントを景品交換装置に送信し、
前記景品交換装置は、景品として変換されたチャージポイントを前記非接触ＩＣカードに記憶されるチャージポイントに加算して書き込むことを特徴とする請求項２記載の電子スタンプラリーシステム。
【請求項４】
前記ＩＣカード読取端末装置と前記景品交換装置を一体的に構成し、
前記非接触ＩＣカードと交信し、前記ＩＤ番号と前記認証信号を読み取り、前記ＩＤ番号と前記認証信号を前記スタンプラリー情報管理装置に送信し、景品交換が必要な場合に参加者の意図する景品交換の情報を前記スタンプラリー情報管理装置に送信することを特徴とする請求項１記載の電子スタンプラリーシステム。
【発明の詳細な説明】
【技術分野】
【０００１】
本発明は電子スタンプラリーシステムに関し、特に、スタンプラリーゲームへの参加者が各巡回端末に立ち寄ったことを参加者自身が通常的に使用しているＩＣカードを利用して記録し、当該参加者に景品を付与するようにした電子スタンプラリーシステムに関する。
【背景技術】
【０００２】
従来のスタンプラリーゲームでは、スタンプラリー主催者は、スタンプラリー参加者が巡回することを希望する場所に必要なスタンプおよびスタンプ台を設置し、スタンプラリー参加者にスタンプ用紙を配布して、スタンプラリー参加者がスタンプ等の設置されている場所を巡回してスタンプを押印してスタンプを収集し、収集したスタンプの数に応じて景品を交換することが行われていた。
【０００３】
近年、ＩＣカード、またはＩＣカードと携帯電話の組み合わせにより、スタンプ押印と類似の行動を行えることから、ＩＣカード等を所持するスタンプラリー参加者が、巡回することを希望する場所に設置されたＩＣカード読取端末装置を巡回してラリーポイントを獲得し、獲得したラリーポイントに応じて景品を交換することが行われている。特許文献１および特許文献２には、そのようなスタンプラリーを実施する電子スタンプラリーシステムの例が記載されている。
【先行技術文献】
【特許文献】
【０００４】
【特許文献１】特開２００７−３０５０９１号公報
【特許文献２】特開２００８−２３４４２２号公報
【発明の概要】
【発明が解決しようとする課題】
【０００５】
しかしながら、従来のＩＣカード、またはＩＣカードと携帯電話を使用する電子スタンプラリーシステムでは、スタンプラリーに参加するための専用のＩＣカードを使用する必要があった。そのため、スタンプラリー参加希望者が専用のＩＣカードを入手するためには手間と時間を必要とし、そのことがスタンプラリー参加者のスタンプラリーに実際に参加する意欲を低減する問題を生じていた。
【０００６】
また、第三者がＩＣカードを不正に入手したり、スタンプラリー参加者がＩＣカードを不正に使用することによりラリーポイントを獲得して、不正に景品を入手する問題を生じていた。
【０００７】
さらに、スタンプラリー参加者が特定の巡回場所に設置されるＩＣカード読取端末装置に集中することにより、スタンプラリーの円滑な運営が妨げられる問題を生じていた。
【０００８】
本発明の目的は、一般的に他の用途で用いられるＩＣカードを代用的に使用し、専用のＩＣカードを使用することなく、不正な行為を防止し、スタンプラリーの円滑な運営を可能とする電子スタンプラリーシステムを提供することにある。
【課題を解決するための手段】
【０００９】
本発明に係る電子スタンプラリーシステムは、上記の目的を達成するため、次のように構成される。
【００１０】
第１の電子スタンプラリーシステム（請求項１に対応）は、
スタンプラリー参加者が、ＩＤ番号を記憶する非接触ＩＣカードを所持してスタンプラリーゲームで設定された複数の指定場所を巡回することで、当該指定場所で非接触ＩＣカードと交信することにより当該指定場所の巡回ラリーポイントがスタンプラリー参加者に付与される電子スタンプラリーシステムであって、
複数の指定場所の各々に設置され、非接触ＩＣカードと交信し、ＩＤ番号とスタンプラリー参加者の認証信号を読み取り、ＩＤ番号と認証信号を送信する複数台のＩＣカード読取端末装置と、
非接触ＩＣカードと交信し、ＩＤ番号と認証信号を読み取り、ＩＤ番号と認証信号を送信し、景品交換が必要な場合にスタンプラリー参加者の意図する景品交換の情報を送信する少なくとも１台の景品交換端末装置と、
ＩＣカード読取端末装置と景品交換端末装置とインターネットで接続され、ＩＣカード読取端末装置から送信されるＩＤ番号と認証信号の同一性とラリー巡回経路の適否を判断し、ラリーポイントを記憶し、景品交換端末装置から参加者の意図する景品交換の情報が送信された場合にラリーポイントを景品のポイントに変換するスタンプラリー情報管理装置と、を備え、
非接触ＩＣカードは、スタンプラリーゲーム以外の他の用途でスタンプラリー参加者が予め所持することを特徴とする。
【００１１】
上記の電子スタンプラリーシステムでは、非接触ＩＣカードに記憶されているＩＤ番号およびスタンプラリー参加者の認証信号がＩＣカード読取端末装置に入力され、ＩＤ番号と認証信号は、スタンプラリー情報管理装置に送信され、ＩＤ番号と認証信号の同一性と巡回経路の適否の判定、ラリーポイントの記憶、ラリーポイントの景品への変換は、全てスタンプラリー情報管理装置において行われる。ＩＤ番号が記憶されている他の用途で使用される広範な非接触ＩＣカードが使用できるので、スタンプラリー参加者のラリー参加意欲を向上させることができる。また、ＩＣカード読取端末装置の構成を簡単なものにできるので、ＩＣカード読取端末装置の設置者の電子スタンプラリー運営に参加する意欲を向上することができる。また、ＩＤ番号と認証信号を併用するので、不正行為の防止が可能となる。ラリーの巡回経路の適否が判定されるので、ラリー参加者に集中を防止することができる。
【００１２】
第２の電子スタンプラリーシステム（請求項２に対応）は、上記の構成において、好ましくは、スタンプラリー情報管理装置が、ラリーポイントを景品交換装置に送信し、景品交換装置は、ラリーポイントに対応する景品をスタンプラリー参加者に提供することを特徴とする。
【００１３】
第３の電子スタンプラリーシステム（請求項３に対応）は、上記の構成において、好ましくは、非接触ＩＣカードがチャージポイントを記憶可能であり、スタンプラリー情報管理装置が、ラリーポイントをチャージポイントに変換することで、変換されたチャージポイントを景品交換装置に送信し、景品交換装置は、景品として変換されたチャージポイントを非接触ＩＣカードに記憶されるチャージポイントに加算して書き込むことを特徴とする。
【００１４】
第４の電子スタンプラリーシステム（請求項４に対応）は、上記の構成において、好ましくは、ＩＣカード読取端末装置と景品交換装置を一体的に構成し、非接触ＩＣカードと交信し、ＩＤ番号と認証信号を読み取り、ＩＤ番号と認証信号をスタンプラリー情報管理装置に送信し、景品交換が必要な場合に参加者の意図する景品交換の情報をスタンプラリー情報管理装置に送信することを特徴とする。
【発明の効果】
【００１５】
本発明に係る電子スタンプラリーシステムによれば、次の効果を奏する。
本来的に他の目的に利用されるＩＣカードを使用してスタンプラリーゲームに参加することができるので、スタンプラリー参加希望者がスタンプラリー参加専用のＩＣカードを入手する手間と時間を不要とし、スタンプラリー参加希望者が実際にスタンプラリーに参加することを促進できる。
ＩＣカード読取端末装置の構成を簡単なものにできるので、ＩＣカード読取端末装置の設置者のラリー運営に参加する意欲を向上することができる。
ＩＣカードのＩＤ番号と認証信号とによりスタンプラリー参加者の同一性を判定するので、不正行為を防止することができる。
コンピュータでスタンプラリー巡回順序を設定することにより、スタンプラリー参加者を誘導するので、スタンプラリーゲームを円滑に運営することができる。
【図面の簡単な説明】
【００１６】
【図１】本発明の実施形態に係る電子スタンプラリーシステムの全体構成を示すブロック図である。
【図２】本実施形態に係る電子スタンプラリーシステムにおけるＩＣカード読取端末装置とスタンプラリー情報管理装置の間の動作関係を示すフローチャートである。
【図３】本実施形態に係る電子スタンプラリーシステムにおける景品交換端末装置とラリー情報管理装置の間の動作関係を示すフローチャートである。
【発明を実施するための形態】
【００１７】
以下に、本発明の好適な実施形態（実施例）を添付図面に基づいて説明する。
【００１８】
図１は本実施形態に係る電子スタンプラリーシステムの全体的構成を示す。この電子スタンプラリーシステム１０では、スタンプラリー参加者がもともと他の用途で所有しているＩＣカード８０が使用される。当該ＩＣカード８０は、相手方のリーダライタと無線で交信を行う非接触型のＩＣカード（以下「非接触ＩＣカード」と記す）である。この非接触ＩＣカード８０は、具体的に例えばＩＣ乗車券またはＩＣ免許証等であり、もともと他の用途のためにスタンプラリー参加者が事前に取得し予め所有（所持）しているＩＣカードである。
【００１９】
図１に示される電子スタンプラリーシステム１０は、各々上記の非接触ＩＣカード８０を所持しかつ使用するスタンプラリー参加者が巡回して立ち寄る複数の巡回場所の各々に置かれる複数台のＩＣカード読取端末装置２０と、ラリー参加者が原則的にはすべてのＩＣカード読取端末装置２０を巡回した後に立ち寄る例えば１台の景品交換端末装置３０と、スタンプラリー情報管理装置６０とから構成されている。複数台のＩＣカード読取端末装置２０と、１台の景品交換端末装置３０と、スタンプラリー情報管理装置６０とは、インターネット５０を介して接続されている。スタンプラリー情報管理装置６０は、複数台のＩＣカード読取端末装置２０および１台の景品交換端末装置３０の各々と、インターネット５０を経由して情報（指令、データ）の送受を行うように構成されている。スタンプラリー情報管理装置６０は、複数のスタンプラリー参加者の各々の情報（個人情報、巡回情報、ラリーポイント情報等）を記憶し、管理する。
【００２０】
また電子スタンプラリーシステム１０は、スタンプラリー参加者が巡回する経路の後半部の任意の位置に、上記ＩＣカード読取端末装置２０と上記景品交換端末装置３０の２つの機能を兼ね備えるＩＣカード読取景品交換端末装置を設けるように構成することもできる。
【００２１】
本実施形態に係る電子スタンプラリーシステム１０において、スタンプラリーに使用される非接触ＩＣカード８０は、その内部メモリにＩＤ番号（識別番号）を記録しているものであれば、どのようなＩＣカードであっても用いることができる。特に、この電子スタンプラリーシステム１０で使用される非接触ＩＣカード８０は、当該電子スタンプラリーシステムに対して特別に用意された非接触ＩＣカードではなく、各スタンプラリー参加者が他の用途に使用する目的でもともと所有している非接触ＩＣカードである。
【００２２】
複数のＩＣカード読取端末装置２０の各々は、同じ構成を有している。各ＩＣカード読取端末装置２０は、スタンプラリー参加者の所持する非接触ＩＣカード８０からＩＤ番号を読み取る非接触リーダ２１と、認証信号を入力する認証信号入力手段２２と、ＩＤ番号と認証信号の一致または不一致のメッセージ等を表示する表示手段２３と、インターネット５０を介してラリー情報管理装置６０との間で必要な通信を行う通信手段２４と、これらの構成要素（非接触リーダ２１、認証信号入力手段２２、表示手段２３、通信手段２４）の各動作を制御する制御手段２６とを備えている。上記の「認証信号」には、パスワード入力信号、または、指認証もしくは掌認証等の生体認証信号が使用される。表示手段２３は、ＩＤ番号と認証信号の一致または不一致の判断情報を表示する他に、スタンプラリー情報管理装置６０から送信されるスタンプラリー情報を表示する。
【００２３】
複数のＩＣカード読取端末装置２０の各々は、スタンプラリーで巡回される複数の場所の各々に設置されている。複数のＩＣカード読取端末装置２０の巡回の順序は予め任意に設定される。巡回順序は事前に任意に決定され、かつ適宜に変更することができる。
【００２４】
また景品交換端末装置３０は、スタンプラリー参加者の所持する非接触ＩＣカード８０からＩＤ番号を読み取る非接触リーダ３１と、認証信号を入力する認証信号入力手段３２と、ＩＤ番号と認証信号の一致または不一致の情報と景品情報とを表示する表示手段３３と、インターネット５０を介してスタンプラリー情報管理装置６０との間で必要な通信を行う通信手段３４と、スタンプラリー参加者に景品を提供する景品提供手段３５と、これらの構成要素の動作を制御する制御手段３６とを有する。表示手段３３に表示される上記の景品情報は、スタンプラリー情報管理装置６０からインターネット５０を介して景品交換端末装置３０に送信される。
【００２５】
非接触ＩＣカード８０として、例えば、市販されるＳＵＩＣＡ（登録商標）やＰＡＳＭＯ（登録商標）等のようなポイントをチャージできるものが使用される。このようなポイントチャージ式の非接触ＩＣカードを使用する場合、景品交換端末装置３０は、非接触リーダ３１の代わりに非接触リーダライタを備える構成とし、スタンプラリー情報管理装置６０の制御の下でラリーポイントから変換されたチャージポイントを、非接触リーダ３１により非接触ＩＣカード８０に書き込んでチャージするようにしても良い。
【００２６】
スタンプラリー情報管理装置６０は運営管理サーバ６１を備えている。運営管理サーバ６１は、インターネット５０を経由してＩＣカード読取端末装置２０および景品交換端末装置３０との間で通信を行う通信手段６４と、この通信手段６４と接続されてラリーポイント情報を管理するラリーポイント情報管理手段６５と、ラリーポイント情報管理手段と接続されてラリーポイントを記憶するラリーポイント記憶手段６６とを備える。
【００２７】
そしてスタンプラリー情報管理装置６０において、ラリーポイント情報管理手段６５は、参加者管理サーバ７１を介して、スタンプラリー参加者のＩＤ番号および認証信号等を記憶する参加者データベース７２と接続される。またラリーポイント情報管理手段６５は、巡回管理サーバ７３を介して、ラリー巡回場所に設置されるＩＣカード読取端末装置２０等を記憶するラリー巡回場所データベース７４と接続される。さらにラリーポイント情報管理手段６５は、景品管理サーバ７５を介して、複数の景品を記憶する景品データベース７６と接続される。
【００２８】
なお図１において、複数のＩＣカード読取端末装置２０および１台の景品交換端末装置３０の間における非接触ＩＣカード８０の移動経路１０１を示している。当該非接触ＩＣカード８０の移動経路１０１は、異なる巡回場所に設置された複数のＩＣカード読取端末装置２０等の各場所の移動するスタンプラリー参加者の移動経路を示している。
【００２９】
図２は、複数のＩＣカード読取端末装置２０の各々とスタンプラリー情報管理装置６０との間でラリーポイントの登録を行うためのフローチャートを示す。この図２を参照して、１台のＩＣカード読取端末装置２０とスタンプラリー情報管理装置６０との間で行われるラリーポイントの登録動作を説明する。
【００３０】
なお、本実施形態に係る電子スタンプラリーシステム１０の前提として、本実施形態のスタンプラリーのゲームに参加する人は、スタンプラリーゲームを開始する前の段階で、自身が所有する他の用途のための非接触ＩＣカード８０と、登録用の端末装置とを利用して、非接触ＩＣカード８０に記録されている「ＩＤ番号」と、上記の「認証信号」とがスタンプラリー情報管理装置６０の側に対して提供されているものとする。従って、当該登録処理に基づいて全てのスタンプラリー参加者の「ＩＤ番号」と「認証信号」が参加者データベース７２に記憶されている。
上記の登録用端末装置については、専用の装置を設けても良いし、ＩＣカード読取端末装置２０に読取モード以外の登録モードを備えるように構成することもできる。
【００３１】
上記の登録処理を完了したスタンプラリー参加者が電子スタンプラリーを開始する。最初または任意の巡回場所に設置されたＩＣカード読取端末装置２０において、スタンプラリー参加者は、自身が所持する非接触ＩＣカード８０をＩＣカード読取端末装置２０の所定の位置にかざすように配置する。なお任意の巡回場所の場合には、それ以前において、指定された巡回順序に従ってスタンプラリーゲームを適切に行ってきたものとする。
【００３２】
非接触ＩＣカード８０をＩＣカード読取端末装置２０の所定位置に配置すると、ＩＣカード読取端末装置２０の非接触リーダ２１は、ＩＣカード配置有りを判定し（ステップＳ１０１）、非接触ＩＣカード８０のＩＤ番号を読み取る（ステップＳ１０２）。読み取られたＩＤ番号は、通信手段２４によってＩＣカード読取端末装置２０からスタンプラリー情報管理装置６０に送信される（ステップＳ１０３）。その後、ＩＣカード読取端末装置２０の動作状態は、スタンプラリー情報管理装置６０からのメッセージの送信を待つ待機状態になる（ステップＳ１０４）。
【００３３】
次に、スタンプラリー情報管理装置６０では、最初は「ＩＤ番号の送信有り？」を判断する待機状態にあり（ステップＳ２０１）、その後ＩＣカード読取端末装置２０から送信されたＩＤ番号を受信（ステップＳ２０２）した後、当該受信したＩＤ番号が、その参加者データベース７２に予め登録されているＩＤ番号と同一か否かを判断する（ステップＳ２０３）。
【００３４】
上記の判断ステップＳ２０３でＮＯである場合は、「ＩＤ番号不一致」のメッセージを作成する（ステップＳ２０４）。判断ステップＳ２０３でＹＥＳである場合には、「認証信号の入力要求」のメッセージを作成する（ステップＳ２０５）。これらのメッセージは、スタンプラリー情報管理装置６０の通信手段６４によりＩＣカード読取端末装置２０に対して送信される（ステップＳ２０６）。その後、スタンプラリー情報管理装置６０の動作状態は、ＩＣカード読取端末装置２０からの情報送信を待つ待機状態になる（ステップＳ２０７）。
【００３５】
待機中のＩＣカード読取端末装置２０は、通信手段２４において、判断ステップＳ１０４でＹＥＳである場合にはスタンプラリー情報管理装置６０から上記のメッセージを受信する（ステップＳ１０５）。その後、受信したメッセージの内容が「ＩＤ番号不一致」であるかまたは「認証信号の入力要求」であるかを判断する（ステップＳ１０６）。
【００３６】
判断ステップＳ１０６においてメッセージの内容が「ＩＤ番号不一致」と判断された場合には、その表示手段２３にＩＤ番号が不一致である旨のメッセージを表示する（ステップＳ１０７）。この状態では、スタンプラリー参加者は、正規の参加者ではないということで、スタンプラリーゲームをその後継続することはできないことになり、ＩＣカード読取端末装置２０における処理のフローは終了する。
【００３７】
判断ステップＳ１０６においてメッセージの内容が「認証信号の入力要求」と判断された場合には次の段階に進む。次の段階では、表示手段２３に「認証信号の入力」という指示メッセージを表示し、スタンプラリー参加者に対して「認証信号」の入力を求める（ステップＳ１０８）。
【００３８】
スタンプラリー参加者は、ＩＣカード読取端末装置２０の要求に応じて、パスワード信号等に基づいて認証信号を認証信号入力手段２２に入力する。ＩＣカード読取端末装置２０の認証信号入力手段２２は、認証信号の入力の有無を判断し（ステップＳ１０９）、この判断ステップＳ１０９でＹＥＳの場合には認証信号を読み取る（ステップＳ１１０）。読み取られた認証信号は、ＩＣカード読取端末装置２０の通信手段２４によってスタンプラリー情報管理装置６０に送信される（ステップＳ１１１）。その後、ＩＣカード読取端末装置２０の動作状態は、スタンプラリー情報管理装置６０からの情報送信を待つ待機状態に保持される（ステップＳ１１２）。
【００３９】
スタンプラリー情報管理装置６０は、上記のごとくＩＣカード読取端末装置２０からの情報送信を待つ待機状態、すなわち「情報送信有り？」を判断する待機状態にあり（ステップＳ２０７）、判断ステップＳ２０７でＹＥＳと判断した場合、通信手段６４は認証信号を受信する（ステップＳ２０８）。その後、受信した認証信号が、その参加者データベース７２に予め登録されている認証信号と同一か否かを判断する（ステップＳ２０９）。この判断は参加者管理サーバ７１によって行われる。
【００４０】
上記の判断ステップＳ２０９でＮＯである場合は、参加者管理サーバ７１は「認証エラー」という情報を作成する（ステップＳ２１０）。判断ステップＳ２０９でＹＥＳである場合には、次の判断ステップＳ２１１でラリー巡回順序が適正か否かが判断される。判断ステップＳ２１１の判断機能は、巡回管理サーバ７３が、巡回場所データベース７４に記憶された情報を参照することにより実行される。判断ステップＳ２１１でＮＯである場合には「ラリー巡回順序不適正」という情報が作成され（ステップＳ２１２）、ＹＥＳである場合にはラリーポイントの登録処理が行われると共に併せて「ラリーポイントの登録」の情報が生成される（ステップＳ２１３）。ラリーポイントの登録処理（ステップＳ２１３）では、ラリーポイント情報管理手段６５で実行され、ラリーポイントの登録はラリーポイント記憶手段６６での記憶で行われる。
【００４１】
ステップＳ２１０，Ｓ２１２，Ｓ２１３で作成されたいずれかの上記の情報（「認証エラー」、「ラリー巡回順序不適正」、「ラリーポイントの登録」）は、次の「情報送信」のステップＳ２１４でＩＣカード読取端末装置２０に対して送信する。
【００４２】
ＩＣカード読取端末装置２０では、スタンプラリー情報管理装置６０の側からの情報の有無を判断する待機状態（判断ステップＳ１１２）にある。判断ステップＳ１１２でＹＥＳである場合には、通信手段２４で、スタンプラリー情報管理装置６０から送信されてきた情報を受信する（ステップＳ１１３）。次の判断ステップＳ１１４では、受信した情報の内容が何であるかを判断する。
【００４３】
判断ステップＳ１１４において「認証エラー」と判断された場合には、ＩＣカード読取端末装置２０の表示手段２３に認証信号が相違する旨の「認証エラー」の表示を行いかつスタンプラリーゲームをその後継続できないことを知らせ（ステップＳ１１５）、電子スタンプラリーシステム１０の動作を終了する。
【００４４】
判断ステップＳ１１４において「ラリー巡回順序不適正」と判断された場合は、ＩＣカード読取端末装置２０の表示手段２３にラリー巡回順序が相違する旨の「ラリー巡回順序不適正」の表示を行いかつスタンプラリーゲームをその後継続できないことを知らせ（ステップＳ１１６）、電子スタンプラリーシステム１０の動作を終了する。
【００４５】
判断ステップＳ１１４において「ラリーポイント登録」と判断された場合は、ＩＣカード読取端末装置２０の表示手段２３にラリーポイントを登録した旨の「ラリーポイント登録」の表示を行う（ステップＳ１１７）。
【００４６】
以上のごとくスタンプラリー参加者は、電子的なスタンプの実行時に、ＩＣカード読取端末装置２０の表示手段２３に表示された内容に基づき、その後のスタンプラリーを続行するか否かを判断する。スタンプラリーを続行する場合は、スタンプラリー参加者は、ラリー巡回順序により定められた次の他のＩＣカード読取端末装置２０に移動する。新しい次のＩＣカード読取端末装置２０では、上記と同様な動作が繰り返される。スタンプラリー参加者がラリーを終了する場合は、景品受給条件を満たすときに限り、スタンプラリーの途中の段階でも、終了した状態に応じた景品を受け取るために、スタンプラリー参加者は景品交換端末装置３０に移動することが可能となる。通常的に、スタンプラリー参加者は、記念的な意味で全てのスタンプを取得する目的で、全てのＩＣカード読取端末装置２０を定められた順序で巡回する。
【００４７】
次に図３を参照して景品交換端末装置３０とスタンプラリー情報管理装置６０の間で景品交換を行う動作を説明する。スタンプラリーゲームで決められた巡回を完了したスタンプラリー参加者は、景品交換端末装置３０の設置場所に移動する。ここで、スタンプラリー参加者は、所持する非接触ＩＣカード８０を、景品交換端末装置３０の所定の位置にかざすように配置する。
【００４８】
非接触ＩＣカード８０を景品交換端末装置３０の所定位置に配置すると、景品交換端末装置３０の非接触リーダ３１は、「ＩＣカード配置有り」を判定し（ステップＳ３０１）、非接触ＩＣカード８０のＩＤ番号を読み取る（ステップＳ３０２）。読み取られたＩＤ番号は、通信手段３４によって景品交換端末装置３０からスタンプラリー情報管理装置６０に送信される（ステップＳ３０３）。その後、景品交換端末装置３０の動作状態は、スタンプラリー情報管理装置６０からのメッセージの送信を待つ待機状態になる（ステップＳ３０４）。
【００４９】
次に、スタンプラリー情報管理装置６０では、最初は「ＩＤ番号の送信有り？」を判断する待機状態にあり（ステップＳ４０１）、その後景品交換端末装置３０から送信されたＩＤ番号を受信（ステップＳ４０２）した後、当該受信したＩＤ番号が、その参加者データベース７２に予め登録されているＩＤ番号と同一か否かを判断する（ステップＳ４０３）。
【００５０】
上記の判断ステップＳ４０３でＮＯである場合は、「ＩＤ番号不一致」のメッセージを作成する（ステップＳ４０４）。判断ステップＳ４０３でＹＥＳである場合には、「認証信号の入力要求」のメッセージを作成する（ステップＳ４０５）。これらのメッセージは、スタンプラリー情報管理装置６０の通信手段６４により景品交換端末装置３０に対して送信される（ステップＳ４０６）。その後、スタンプラリー情報管理装置６０の動作状態は、景品交換端末装置３０からの情報送信を待つ待機状態になる（ステップＳ４０７）。
【００５１】
待機中の景品交換端末装置３０は、通信手段３４において、判断ステップＳ３０４でＹＥＳである場合にはスタンプラリー情報管理装置６０から上記のメッセージを受信する（ステップＳ３０５）。その後、受信したメッセージの内容が「ＩＤ番号不一致」であるかまたは「認証信号の入力要求」であるかを判断する（ステップＳ３０６）。
【００５２】
判断ステップＳ３０６においてメッセージの内容が「ＩＤ番号不一致」と判断された場合には、その表示手段３３にＩＤ番号が不一致である旨のメッセージを表示する（ステップＳ３０７）。この状態では、スタンプラリー参加者は、正規の参加者ではないということで、スタンプラリーゲームをその後継続することはできないことになり、景品交換端末装置３０における処理のフローは終了する。
【００５３】
判断ステップＳ３０６においてメッセージの内容が「認証信号の入力要求」と判断された場合には次の段階に進む。次の段階では、表示手段３３に「認証信号の入力」という指示メッセージを表示し、スタンプラリー参加者に対して「認証信号」の入力を求める（ステップＳ３０８）。
【００５４】
スタンプラリー参加者は、景品交換端末装置３０の要求に応じて、パスワード信号等に基づいて認証信号を認証信号入力手段３２に入力する。景品交換端末装置３０の認証信号入力手段３２は、認証信号の入力の有無を判断し（ステップＳ３０９）、この判断ステップＳ３０９でＹＥＳの場合には認証信号を読み取る（ステップＳ３１０）。読み取られた認証信号は、景品交換端末装置３０の通信手段３４によってスタンプラリー情報管理装置６０に送信される（ステップＳ３１１）。その後、景品交換端末装置３０の動作状態は、スタンプラリー情報管理装置６０からの情報送信を待つ待機状態に保持される（ステップＳ３１２）。
【００５５】
スタンプラリー情報管理装置６０は、上記のごとく景品交換端末装置３０からの情報送信を待つ待機状態、すなわち「情報送信有り？」を判断する待機状態にあり（ステップＳ４０７）、判断ステップＳ４０７でＹＥＳと判断した場合、通信手段６４は認証信号を受信する（ステップＳ４０８）。その後、受信した認証信号が、その参加者データベース７２に予め登録されている認証信号と同一か否かを判断する（ステップＳ４０９）。この判断は参加者管理サーバ７１によって行われる。
【００５６】
上記の判断ステップＳ４０９でＮＯである場合は、参加者管理サーバ７１は「認証エラー」という情報を作成する（ステップＳ２１０）。判断ステップＳ４０９でＹＥＳである場合には、次の処理ステップＳ４１１で、上記のＩＤ番号（非接触ＩＣカード８０）および認証信号で特定されたスタンプラリー参加者に関して登録されたラリーポイントを確認する。登録ラリーポイントの確認の処理ステップＳ４１１は、運営管理サーバ６１のラリーポイント情報管理手段６５とラリーポイント記憶手段６６によって実行される。次のステップＳ４１２では、ラリーポイントに対応する「景品カタログ」という情報が作成される。ステップＳ４１２での「景品カタログ」の情報の作成は、景品データベース７６に記憶された景品データに基づいて景品管理サーバ７５が実行する。
【００５７】
処理ステップＳ４１０，Ｓ４１２で作成されたいずれかの上記の情報（「認証エラー」、「景品カタログ」）は、次の「情報送信」のステップＳ４１３で景品交換端末装置３０に対して送信する。
【００５８】
景品交換端末装置３０では、スタンプラリー情報管理装置６０の側からの情報の有無を判断する待機状態（判断ステップＳ３１２）にある。判断ステップＳ３１２でＹＥＳである場合には、通信手段３４で、スタンプラリー情報管理装置６０から送信されてきた情報を受信する（ステップＳ３１３）。次の判断ステップＳ３１４では、受信した情報の内容が何であるかを判断する。
【００５９】
判断ステップＳ３１４において「認証エラー」と判断された場合には、景品交換端末装置３０の表示手段３３に認証信号が相違する旨の「認証エラー」の表示を行いかつ景品を受け取れない旨のメッセージを知らせ（ステップＳ３１５）、その後、景品交換端末装置３０の動作を終了する。
【００６０】
判断ステップＳ３１４において「景品カタログ」と判断された場合は、景品交換端末装置３０の表示手段３３に景品カタログの内容表示を行う（ステップＳ３１６）。スタンプラリー参加者は、表示手段３３に表示された景品カタログの内容を見て自身の希望する景品を選択する。スタンプラリー参加者が表示手段３３の画面に景品選択行為を行うと、景品交換端末装置３０は景品選択のイベントの入力を受ける（ステップＳ３１７）。その後、景品交換端末装置３０は、通信手段３４を介して、景品選択情報をスタンプラリー情報管理装置６０へ送信する（ステップＳ３１８）。
【００６１】
スタンプラリー情報管理装置６０において、判断ステップＳ４１４では景品選択情報の送信が有るか否かを判断する。判断ステップＳ４１４でＹＥＳである場合には、ラリーポイント情報管理手段６５は、ラリーポイント記憶手段６６に登録された当該スタンプラリー参加者に係るラリーポイントを景品ポイントに変換して登録ラリーポイントを削除する（ステップＳ４１５）。その後、スタンプラリー情報管理装置６０は、通信手段６４を経由して、景品提供の情報を景品交換端末装置３０へ送信する（ステップＳ４１６）。
【００６２】
景品交換端末装置３０では、通信手段３４でスタンプラリー情報管理装置６０から送信されてきた景品提供の情報を受信すると、その表示手段３３に「景品提供」に係る情報を表示する（ステップＳ３１９）。スタンプラリー参加者は、表示手段３３に表示された「景品提供」に係る情報を確認して、景品交換端末装置３０での処理を終了する。
【００６３】
電子スタンプラリーシステム１０によれば、景品の内容・種類に応じてスタンプラリー参加者に対して景品を提供する。景品交換端末装置３０では景品提供の情報のみを与えるだけであり、通常、景品そのものは電子スタンプラリーシステム１０の運営者により輸送業者等を通じてスタンプラリー参加者に提供される。なお、電子的な景品（例えば楽曲等のダウンロード等）であるのであれば、景品提供手段３５により、スタンプラリー参加者に対して景品を提供することができる。
【００６４】
この電子スタンプラリースタンプ１０では、非接触ＩＣカード８０として、前述した通りＳＵＩＣＡ（登録商標）等のチャージポイントをチャージできるものを使用する場合には、景品交換端末装置３０が、非接触リーダ３１の代わりに非接触リーダライタを備えるようして、スタンプラリー情報管理装置６０の通信制御の下で、ラリーポイントをチャージポイントに変換し、非接触リーダライタにより、変換されたチャージポイントを非接触ＩＣカード８０に加算してチャージし、これによ景品を交換するようにしても良い。
【００６５】
本実施形態に係る電子スタンプラリーシステム１０の他の変形例としては、例えば、スタンプラリー参加者が巡回する経路の下流において、前述したＩＣカード読取端末装置２０と景品交換端末装置３０の各機能を兼ね備える装置（ＩＣカード読取景品交換端末装置）を設けるように構成することもできる。このようなＩＣカード読取景品交換端末装置を設けることにより、スタンプラリー参加者は、ＩＣカード読取端末装置で最終ラリーポイントを獲得した後に、景品交換端末装置の処理モードに動作状態を変更して、景品の交換労力を軽減することが可能となる。
【００６６】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００６７】
本発明に係る電子スタンプラリーシステムは、スタンプラリー参加者が通常的に他の用途のためもともと所有している非接触ＩＣカードを用いて電子的な手法でスタンプラリーを行われるようにシステムを構成し、ラリーゲームに利用することができる。
【符号の説明】
【００６８】
１０      電子スタンプラリーシステム
２０      ＩＣカード読取端末装置
２１      非接触リーダ
２２      認証信号入力手段
２３      表示手段
２４      通信手段
２６      制御手段
３０      景品交換端末装置
３１      非接触リーダ
３２      認証信号入力手段
３３      表示手段
３４      通信手段
３５      景品提供手段
３６      制御手段
５０      インターネット
６０      スタンプラリー情報管理装置
６１      運営管理サーバ
６４      通信手段
６５      ラリーポイント情報管理手段
６６      ラリーポイント記憶手段
７１      参加者管理サーバ
７２      参加者データベース
７３      巡回管理サーバ
７４      巡回場所データベース
７５      景品管理サーバ
７６      景品データベース
８０      非接触ＩＣカード
【図１】
2011107932.tif 000003
【図２】
2011107932.tif 000004
【図３】
2011107932.tif 000005